(57)【要約】【課題】軽量で保水性がよく、自然な緑により近い緑化ブロックを提供する。【解決手段】底部に沿って設けられた底部枠２と、底部枠２上に起立して設けられた複数本の支柱枠３と、これら支柱枠３を囲んで結合された囲み枠４とから構成された形成枠体５を備え、その形成枠体５内に、上部を開放させて形成枠体５の内壁を形成すべくメッシュ層６を張設し、メッシュ層６の底部に防水層７を設け、防水層７上に植物ｐを植生させるための水苔などの植生層８を設けたものである。【選択図】図１
2010004746.tif 000002
【特許請求の範囲】
【請求項１】
底部に沿って設けられた底部枠と、該底部枠上に起立して設けられた複数本の支柱枠と、これら支柱枠を囲んで結合された囲み枠とから構成された形成枠体を備え、その形成枠体内に、上部を開放させて形成枠体の内壁を形成すべくメッシュ層を張設し、該メッシュ層の底部に防水層を設け、該防水層上に植物を植生させるための水苔などの植生層を設けたことを特徴とする緑化ブロック。
【請求項２】
上記メッシュ層は、外側メッシュシートと、その外側メッシュシートから所定距離隔てた内側に設けられ、外側メッシュシートよりも目が細かい内側メッシュシートとからなり、上記植生層は、内外のメッシュシート間に充填される水苔からなる水苔層と、その水苔層の内側に充填されて植物を生育させるための芯材と、その芯材上に設けられて芯材の飛散を防止すると共に、芯材中の水分の蒸散を防止するための飛散・蒸散防止層とからなる請求項１記載の緑化ブロック。
【請求項３】
上記防水層は、上記形成枠体内の底部に敷設される防水シートと、その防水シート内に設けられる保水・排水層とからなる請求項１または２記載の緑化ブロック。
【請求項４】
上記保水・排水層は、排水用人工土と保水材を混合したもの、あるいはクン炭と割炭を混合したもので形成され、層内で保水すると共に、層外に所定量以上の水を排水する請求項３記載の緑化ブロック。
【請求項５】
上記芯材は、排水用人工土と、バーク材及び／又はクン炭と、保水材とを混合したもので形成される請求項２〜４いずれかに記載の緑化ブロック。
【請求項６】
上記飛散・蒸散防止層は、赤玉土、あるいは鹿沼土、もしくはこれらを混合したもので形成される請求項２〜５いずれかに記載の緑化ブロック。
【請求項７】
上記飛散・蒸散防止層上に、上記植生層に灌水するための灌水管を設けた請求項２〜６いずれかに記載の緑化ブロック。
【請求項８】
請求項１〜７いずれかに記載した緑化ブロックを直線状、あるいは枠状に複数個並べたことを特徴とする植え込み構造。
【請求項９】
略直立あるいは傾斜したコンクリート製などの壁面に、請求項１〜７いずれかに記載した緑化ブロックを設け、その緑化ブロックと、屋上などの人工地盤上に芝や樹木などの植物を植えて緑化した人工地盤緑化構造との間を、人工地盤緑化構造からの余剰の雨水を上記緑化ブロックに給水するための給水手段で連結したことを特徴とする植え込み構造。
【請求項１０】
底部に沿って設けられた底部枠と、該底部枠上に起立して設けられた複数本の支柱枠と、これら支柱枠を囲んで結合された囲み枠とから構成された形成枠体内に、上部を開放したメッシュ層を設け、該メッシュ層の底部に防水層を設け、該防水層上に植物を植生させるための水苔などの植生層を設けることを特徴とする緑化工法。
【発明の詳細な説明】
【技術分野】
【０００１】
本発明は、建物などの壁面、あるいはベランダ、屋上などの人工地盤上に設けてこれらを緑化するための緑化ブロック及びこれを用いた植え込み構造、並びに緑化工法に関する。
【背景技術】
【０００２】
近年、景観の向上や都市部のヒートアイランド現象を緩和するために、建物やコンクリート壁などの壁面、あるいはベランダ、屋上、道路などの人工地盤上を緑化する機運が急激に高まっている。
【０００３】
このような壁面緑化の一例として、高低差のある地点に花壇あるいは植栽升を作った場合、その周囲をコンクリートまたは石積みなどの無機質な素材で囲うことになる。
【０００４】
なお、この出願の発明に関連する先行技術文献情報としては、次のものがある。
【０００５】
【特許文献１】特開平８−１０５０７０号公報
【発明の開示】
【発明が解決しようとする課題】
【０００６】
上述した壁面緑化の一例では、無機質と植物を始めとする有機質との融和というある種の美しさはあるものの、有機質をより多く使い、生物種の多様性を都市の緑により多く反映させる意味からすると限界がある。
【０００７】
今後の壁面や人工地盤の緑化には、有機質をより多く使い、生物種の多様性を都市の緑により多く反映させるべきである。
【０００８】
地球上の自然なあらゆる緑は、人工的な囲いの中にはないが、自然石の上にさえ、溶岩石の上にさえ、数年から数十年で緑の植生を回復する力強いものであり、人々や動物たちの保養にもなる。
【０００９】
したがって、壁面や人工地盤の緑化において、生物種の多様性の促進を図るために、都市の緑の中にも自然な緑の存在条件に近いものを創出することが求められている。
【００１０】
しかしながら、壁面や人工地盤の緑化にあたって、自然な緑の存在条件に近いものを創出するには、軽量化を図ったり、保水性の問題の他にも、設置や撤去のしやすさ、工法の簡略化など、種々の問題がある。
【００１１】
そこで、本発明の目的は、軽量で保水性がよく、自然な緑により近い緑化ブロック及びこれを用いた植え込み構造、並びに緑化工法を提供することにある。
【課題を解決するための手段】
【００１２】
上記目的を達成するために創案された本発明は、底部に沿って設けられた底部枠と、該底部枠上に起立して設けられた複数本の支柱枠と、これら支柱枠を囲んで結合された囲み枠とから構成された形成枠体を備え、その形成枠体内に、上部を開放させて形成枠体の内壁を形成すべくメッシュ層を張設し、該メッシュ層の底部に防水層を設け、該防水層上に植物を植生させるための水苔などの植生層を設けた緑化ブロックである。
【００１３】
上記メッシュ層は、外側メッシュシートと、その外側メッシュシートから所定距離隔てた内側に設けられ、外側メッシュシートよりも目が細かい内側メッシュシートとからなり、上記植生層は、内外のメッシュシート間に充填される水苔からなる水苔層と、その水苔層の内側に充填されて植物を生育させるための芯材と、その芯材上に設けられて芯材の飛散を防止すると共に、芯材中の水分の蒸散を防止するための飛散・蒸散防止層とからなるとよい。
【００１４】
上記防水層は、上記形成枠体内の底部に敷設される防水シートと、その防水シート内に設けられる保水・排水層とからなるとよい。
【００１５】
上記保水・排水層は、排水用人工土と保水材を混合したもの、あるいはクン炭と割炭を混合したもので形成され、層内で保水すると共に、層外に所定量以上の水を排水するとよい。
【００１６】
上記芯材は、排水用人工土と、バーク材及び／又はクン炭と、保水材とを混合したもので形成されるとよい。
【００１７】
上記飛散・蒸散防止層は、赤玉土、あるいは鹿沼土、もしくはこれらを混合したもので形成されるとよい。
【００１８】
上記飛散・蒸散防止層上に、上記植生層に灌水するための灌水管を設けるとよい。
【００１９】
また本発明は、上記の緑化ブロックを直線状、あるいは枠状に複数個並べた植え込み構造である。
【００２０】
さらに本発明の植え込み構造は、略直立あるいは傾斜したコンクリート製などの壁面に、上記の緑化ブロックを設け、その緑化ブロックと、屋上などの人工地盤上に芝や樹木などの植物を植えて緑化した人工地盤緑化構造との間を、人工地盤緑化構造からの余剰の雨水を上記緑化ブロックに給水するための給水管で連結したものである。
【００２１】
本発明の緑化工法は、底部に沿って設けられた底部枠と、該底部枠上に起立して設けられた複数本の支柱枠と、これら支柱枠を囲んで結合された囲み枠とから構成された形成枠体内に、上部を開放したメッシュ層を設け、該メッシュ層の底部に防水層を設け、該防水層上に植物の根部を植生させるための水苔などの植生層を設ける工法である。
【発明の効果】
【００２２】
本発明によれば、壁面や人工地盤の緑化において、軽量で保水性がよく、自然な緑により近いものを提供できる。
【発明を実施するための最良の形態】
【００２３】
以下、本発明の好適な実施形態を添付図面にしたがって説明する。
【００２４】
図１は、本発明の好適な実施形態を示す緑化ブロックの横断面構造図である。
【００２５】
図１に示すように、本実施形態に係る緑化ブロック（バイオキューブ）１は、主として夏季に都市部で発生するヒートアイランド現象を緩和する目的で、地盤に対して略垂直な壁面、傾斜した壁面や、ベランダ、屋上、道路などの人工地盤上に設けてこれらを緑化するためのものである。壁面としては、例えば、建物自体の壁面、あるいは建物や平面駐車場の周囲を囲むブロック塀やコンクリート塀などの壁面、建物の屋上の周囲壁面がある。建物の壁面としては、オフィスビルや駐車場ビルの壁面、あるいは金網などの仕切などに使用される仕切壁など種々の形態がある。
【００２６】
この緑化ブロック１は、その底部に沿って設けられた底部枠２と、その底部枠２上に起立して設けられた複数本の支柱枠３と、これら支柱枠３の外周を囲んで結合された複数個の囲み枠４とから構成された金属製の形成枠体（成形枠）５を備える。
【００２７】
形成枠体５は、底部枠２、支柱枠３、囲み枠４の部分以外は、上方向（天端方向）、下方向、正面方向（図１では右側方向）、右方向（図１では手前側方向）、背面方向、左方向の合計６方向すべてにおいて開放形成される。
【００２８】
本実施形態では、形成枠体５を構成する支柱枠３、囲み枠４として、外径が１３〜１６ｍｍのＳＵＳ製の鉄筋、あるいはこれに溶融亜鉛メッキを施したものを用いた。底部枠２としては、他の各枠部材と同じ材質のＬ字金物（アングル材）を用いた。
【００２９】
形成枠体５の大きさによっては、形成枠体５の上部及び／又は底部に、さらに補強枠Ｒ（詳しくは、後述する図２参照）を用いて形成枠体５を構成してもよい。この補強枠Ｒは、形成枠体５の幅方向（図１では左右方向）を横断して囲み枠４に連結され、形成枠体５の長手方向に沿って所定の間隔をおいて設けられる。
【００３０】
形成枠体５内には、上部のみを全開放させて形成枠体５の内壁を形成すべくメッシュ層６が設けられ、メッシュ層６の底部には防水層７が設けられ、防水層７上に植物ｐを植生させるための植生層８が設けられる。植物ｐとしては、多年草である宿根草や球根植物、さらには低木、中木、必要に応じて高木を用いるとよい。
【００３１】
メッシュ層６は、樹脂製の外側メッシュシート６Ｏと、その外側メッシュシート６Ｏから所定距離（約８０〜１００ｍｍ）隔てた内側に設けられた樹脂製の内側メッシュシート６Ｉとからなる二重メッシュシートからなる層である。外側メッシュシート６Ｏ上には、内側メッシュシート６Ｉの底面が重ね合わせられる。
【００３２】
内側メッシュシート６Ｉには、外側メッシュシート６Ｏよりも目が細かいものを用いる。本実施形態では、目合（単位格子の大きさ）が２０×２０ｍｍの外側メッシュシート６Ｏと、目合が１０×１０ｍｍの内側メッシュシート６Ｉとを用いた。
【００３３】
防水層７は、形成枠体５の底部に敷設される上部のみを開放した防水シート９と、その防水シート９内に設けられる保水・排水層１０とからなる。
【００３４】
防水シート９は、形成枠体５の底部において、植物ｐの根が形成枠体５の外へ侵出するのを防ぐ防根シートとしても働く。防水シートとしては、例えば、ポリ塩化ビニルシートや、ポリエチレンと発泡ポリエチレンシートをラミネートしたシートを用いる。
【００３５】
保水・排水層１０は、排水用人工土と保水材を混合したもので形成され、層内で保水すると共に、層外に所定量以上の水を排水するものである。本実施形態では、排水用人工土として粒径がφ５〜２０ｍｍのパーライトを主成分とする人工土壌９９％、保水材として感温性の給水ポリマー１％のものを用いた。保水・排水層１０としては、モミガラを燻してなるクン炭のみ、あるいはこのクン炭と割炭とを混合したものを用いてもよい。
【００３６】
植生層８は、内外のメッシュシート６Ｉ，６Ｏ間に充填される水苔からなる水苔層１１と、その水苔層１１の内側に充填されて植物ｐを生育させるための芯材１２と、その芯材１２上に設けられて芯材１２の風による飛散を防止すると共に、芯材１２中の水分の蒸散を防止するための飛散・蒸散防止層１３とからなる。
【００３７】
芯材１２は、排水用人工土と、バーク材及び／又はクン炭と、保水材とを混合したもので形成される。本実施形態では、排水用人工土として焼成ポラード材を主成分とする人工土壌７０％、完熟バーク材（微生物としてのＶＡ菌を１ｋｇ／ｍ3含む）約１５％、クン炭約１５％、保水材として感温性の給水ポリマー１％のものを用いた。
【００３８】
飛散・蒸散防止層１３は、赤玉土、あるいは鹿沼土、もしくはこれらを混合したもので形成される。本実施形態では、飛散・蒸散防止層１３として赤玉土を用いた。飛散・蒸散防止層１３には、さらに上述した保水材を１％程度混合してもよい。
【００３９】
芯材１２と飛散・蒸散防止層１３間には、飛散・蒸散防止層１３の流出を防ぐための流出防止層１４として不織布が設けられる。
【００４０】
さらに、飛散・蒸散防止層１３上には、植生層８に灌水するための灌水管１５が設けられる。灌水管１５には、その長手方向に沿った底部に所定の間隔をおいて灌水穴が形成されたポリ塩化ビニル製の配管を用いた。
【００４１】
次に、図２〜図７を用いて、本実施形態に係る緑化工法の一例を説明する。
【００４２】
図２に示すように、まず、緑化したい壁面や人工地盤に応じて任意の大きさの形成枠体５を設定し、その大きさに合わせて骨組み用の各枠部材の金属強度（材料強度、支柱枠３の本数、囲み枠４の個数、囲み枠４の設置間隔など）を決める。形成枠体５の大きさは、通常、高さＨが１ｍ以下、幅Ｗが０．５ｍ以下、長さＬが１〜２ｍ程度を設定している。
【００４３】
底部枠２には、両端に支柱枠３をそれぞれ連結するための連結部材２１が取り付けられた２本並列のＬ字金物２ａ，２ｂを用い、これらＬ字金物２ａ，２ｂを互いの内面が対向するように配置する。
【００４４】
各支柱枠３の底部には、あらかじめ連結部材２１の部品を挿通する挿通穴を形成しておく。囲み枠４の内側には、形成枠体５の大きさに応じて形成枠体５を補強するため、あらかじめ補強枠Ｒを取り付けておく。
【００４５】
準備した支柱枠３を立て、支柱枠３の高さ方向に所定の間隔をおいて、補強枠Ｒ付きの囲み枠４を取り付け、形成枠本体５ｂを得る。囲み枠４や補強枠Ｒの取り付けは、ワイヤを用いてもよいし、溶接で行ってもよい。
【００４６】
図３に示すように、Ｌ字金物２ａ，２ｂの内底面と内側面に各支持枠３が接するように、Ｌ字金物２ａ，２ｂ上に形成枠本体５ｂを載せ、連結部材２１により、Ｌ字金物２ａ，２ｂに支柱枠３をそれぞれ連結して固定し、形成枠体５を得る。
【００４７】
本実施の形態では、連結部材２１として、図３のＪ部の拡大平面図に示すように、１本の支柱枠３の外周面に外接して係合するほぼＵ字状に形成されたネジ部材２２と、そのネジ部材２２の両端に螺合してＬ字金物２ｂにネジ部材２２をネジ止めするナット２３とからなるシャックルを用いた。
【００４８】
図４に示すように、形成枠体５の底部に、防水シート９を敷設する。本実施形態では、形成枠体５の底面から約１０ｃｍの高さまで防水シート９を敷設した。
【００４９】
図５に示すように、防水シート９の内側に外側メッシュシート６Ｏを設け、図６に示すように、その外側メッシュシート６Ｏから所定距離隔てた内側に、内側メッシュシート６Ｉを設ける。内外のメッシュシート６Ｉ，６Ｏは、底面に１枚、１枚のメッシュシートを形成枠体５の全内周面に沿って折り曲げて設けてもよいし、形成枠体５の各面ごとに１枚ずつ、あるいは補強材Ｒの間隔ごとに１枚ずつ設けるなどしてもよい。
【００５０】
その後、防水シート９内に保水・排水層１０（図１参照）を設け、内外のメッシュシート６Ｉ，６Ｏ間に水苔層１１を設け、内側メッシュシート６Ｉの内側である保水・排水層１０上に、形成枠体５の上部を除いて芯材１２（図１参照）を設ける。本実施形態では、形成枠体５の上部約１０ｃｍを除いて芯材１２を設けた。芯材１２は、形成枠体５への投入前に、あらかじめ排水用人工土と、バーク材及び／又はクン炭と、保水材とを全体が黒ずむまで混合しておく。
【００５１】
芯材１２上に切り込みを入れた流出防止層１４（図１参照）を設け、その流出防止層１４上に飛散・防止層１３を設け、最後に飛散・蒸散防止層１３上に灌水管１５（図１参照）を設ける。そして、少なくとも水苔層１１に、その正面、両側面から植物ｐを植えると共に、飛散・蒸散防止層１３に植物ｐを植えると、図１に示した緑化ブロック１が得られる。植物ｐは、芯材１２内に吸収根を伸ばし、形成枠体５の内壁となる内外のメッシュシート６ｉ，６Ｏの網目を通して茎や幹を伸ばすことで、安定した成長を行う。緑化ブロック１の設置場所によっては、水苔層１１の背面に植物ｐを植えてもよい。
【００５２】
上述した壁面や人工地盤、例えば、ビルの軒や庇の連続した取り付け面に、形成枠体５の底辺部分であるＬ字金物２ａ，２ｂを取り付け、緑化ブロック１を１個、あるいは複数個設置することで、壁面や人工地盤の緑化を行う。
【００５３】
このように、緑化ブロック１によれば、６方向が開放された形成枠体５を用い、その形成枠体５内に、防水層７、上部を開放したメッシュ層６、植生層８を設けているため、緑化ブロック１の天端部分や立ち上がり側面にも植物ｐを植えることができる。
【００５４】
さらに緑化ブロック１は、組み立てた後、ブロック単位で取り扱えるため、簡単に設置したり、撤去したりできる。
【００５５】
緑化ブロック１では、形成枠体５の底部に防水シート９を敷設し、その上に升目の異なる内外のメッシュシート６Ｉ，６Ｏを重ねることで、雨水の一時貯留や継続する給水に備えることができる。緑化ブロック１では、防水シート９内の保水・排水層１０は、芯材１２の重みを支え、また一時的な貯水槽の役目も果たす。この緑化ブロック１は、通常土壌の１／３程度の重量、給水時で１ｍ3当たり０．５ｔ程度の重量である。
【００５６】
したがって、緑化ブロック１によれば、壁面や人工地盤の緑化において、軽量で保水性がよく、形成枠体（植え込み升）５全体を緑にできるので、例えば、ビルの外装緑化などには非常な効果が期待でき、従来のコンクリート、石積みなどとは異なり、ほぼ有機物で構成された囲いを実現でき、自然な緑により近いものを提供できる。
【００５７】
また、緑化ブロック１では、植栽の基盤層である植生層８を、少なくとも水苔層１１と芯材１２との２層構造にすることで、主に水苔層１１により、緑化ブロック１設置後の植物ｐの植え付けが容易になり、さらに植物ｐが主に栄養を補給する吸収根の発育層に奥行きが出て、水、空気、養分が滞ることなく植生層８の全体に行き渡ると共に、軽量化を図ることができる。
【００５８】
緑化ブロック１では、飛散・蒸散防止層１３により、軽量材である芯材１２の風による飛散を防ぐと共に、土壌の質を芯材１２とは変化させることで、地中からの水分の上昇も抑えている。
【００５９】
この飛散・蒸散防止層１３は、近い将来の緑化ブロック１の全体的な多様性を考えたときにも、自然土壌の持つ安定した性質（土自体や土中の微生物など）が徐々に下層の人工材である芯材１２側へ溶け出し、人工材の安定にも貢献する。
【００６０】
本発明者が緑化ブロック１に植物ｐとして宿根草や球根植物を植え、雨水により、あるいは灌水管１５に定期的に給水することにより、養生した実験の結果、１年間春夏秋冬を通して何らかの花が咲き、色鮮やかな紅葉が見られるような立体的な塊である緑化ブロック１であることが確認できた。
【００６１】
また、本実施形態に係る緑化工法によれば、既存の材料や部品を使用しながら、簡単に緑化ブロック１を用いて壁面や人工地盤を緑化できるので、低コストで施工が早い。
【００６２】
ここで、緑化ブロック１の作用効果を以下にまとめる。
【００６３】
１）従来のコンクリート、石積みなどで構築する植え升に比べて施工が早く、従来の１／４程度の施工時間に短縮することができる。
【００６４】
２）保水性が高く、雨水の利用が大幅に向上し、雨水を蓄えることが可能なので、ヒートアイランドの緩和に持続的に貢献する。
【００６５】
３）天端、側面、落差共に植栽空間として使えるので全体が美しく、また違和感の少ない植物の塊として視覚的な癒し効果が大である。
【００６６】
４）舗装道路などの既存の設備を損なうことなくテーブル状に据え置くことができる。したがって、広い空間を目的に合わせて仕切るなどの仮設的で緊急な対応にも適している。
【００６７】
次に、緑化ブロック１を用いた植え込み構造（緑化構造）の一例を、図８〜図１１を用いて説明する。
【００６８】
図８に示すように、緑化ブロック１を直線状に複数個並べて植え込み構造８１としたり、図９に示すように、緑化ブロック１を枠状に複数個並べて植え込み構造９１とすることで、緑化したい壁面や人工地盤の形状や状況に合わせ、高い自由度をもたせて緑化することができる。植え込み構造９１の場合は、枠内に空間Ｓ９が区画形成されるため、この空間Ｓ９を植栽空間として利用することも可能である。
【００６９】
図１０および図１１に示すように、植え込み構造１０１は、ビルやマンションなどの建物Ｂの壁面Ｗ１０に、緑化ブロック１を複数個設け、その緑化ブロック１と、屋上などの人工地盤１０２上に、芝や樹木などの植物ｐ１０を植えて緑化した人工地盤緑化構造１０３との間を、人工地盤緑化構造１０３からの余剰の雨水を緑化ブロック１に給水するための給水手段１０４で連結したものである。
【００７０】
人工地盤１０２は、建物Ｂの最上部に設けられたスラブコンクリート１０５上に、屋上側防水層１０６を設け、その屋上側防水層１０６上に保護コンクリート１０７を設けたものである。保護コンクリート１０７の表面は、雨水などが人工地盤１０２に設けた排水ピット１０８から排水されるように適宜傾斜させてある。隣接する保護コンクリート１０７間には、伸縮目地１０９が設けられる。伸縮目地１０９は、外気の温度変化による保護コンクリート１０７の伸縮を吸収する継ぎ目であり、保護コンクリート１０７のひび割れを防止する。
【００７１】
人工地盤１０２の保護コンクリート１０７上に、屋上側防水層１０６に植物ｐ１０の根が侵入するのを防ぐ防根シート（防水機能もある）１１０を敷設し、防根シート１１０上にスポンジなどの保水手段１１１を設け、保水手段１１１上にメッシュシート１１２を設け、メッシュシート１１２上に顆粒状の人工改良土１１３を盛土し、人工改良土１１３に植物ｐ１０を植えると、人工地盤緑化構造１０３が得られる。
【００７２】
人工地盤１０２と建物Ｂの壁面Ｗ１０との間には、防水パラペット１１４や落下防止柵１１５が設けられているため、防水パラペット１１３の下端に給水穴１０４ａを形成し、その給水穴１０４ａ上にも防根シート１１０を敷設し、給水穴１０４ａの出口に、壁面Ｗ１０の水平方向に沿った水平給水管１０４ｈを設け、その水平給水管１０４ｈに壁面Ｗ１０の垂直方向に沿った垂直給水管１０４ｖを設け、この垂直給水管１０４ｖと各緑化ブロック１の灌水管１５とをそれぞれ接続する。
【００７３】
このように、植え込み構造１０１によれば、給水穴１０４ａと、水平給水管１０４ｈと、垂直給水管１０４ｖとで給水手段１０４を構成し、その給水手段１０４で人工地盤緑化構造１０３と緑化ブロック１を連結することで、人工地盤緑化構造１０３では活用できなかった雨水を有効に利用でき、落差のある場所でも自然な緑による緑化を行うことができる。
【００７４】
都市の建築は現在、コンクリート箱のようなものであり、素材が乾燥し、光や音を乱反射することによって都市は視覚的にも緊張を強いる空間となっている。また、保水機能が都市全体に不足しているため、急激な洪水や素材の蓄熱によるヒートアイランド現象により気象が擾乱され生活しにくいものとなっている。
【００７５】
そのため、屋上などに降った雨を一定時間確保し、それを少しずつ壁面緑化に流す工夫が今必要とされている。
【００７６】
屋上緑化と壁面緑化の間には現在防水パラペットや落下防止柵が設置されており、雨水の有効利用の最大の障害となっている。
【００７７】
上述したように、緑化ブロック１は、屋上緑化に降った雨を緩やかに吸い出し、壁面緑化へつなぐための機能を保持している。すなわち、緑化ブロック１は、落下防止のために一定の高さまで内外のメッシュシート６Ｉ，６Ｏや水苔層１１によって形態を確保しており、しかも長時間崩れることがない。
【００７８】
また、植え込み構造１０１によれば、防水面では屋上に一定量蓄えるのではなく、緑化された壁面の各緑化ブロック１に緩やかに流すことにより、オーバーフローによる人工地盤緑化構造１０３の浸水も防止できる。
【００７９】
さらに、図１０に示した防水パラペット１１４や落下防止柵１１５の代わりに、緑化ブロック１を用い、従来設置する必要があった防水パラペットや落下防止柵も兼用するものとして、緑化ブロック１を利用することもできる。
【図面の簡単な説明】
【００８０】
【図１】本発明の好適な実施形態を示す緑化ブロックの横断面構造図である。
【図２】本実施形態に係る緑化工法の一工程を示す斜視図である。
【図３】図２に続く本実施形態に係る緑化工法の一工程例を示す斜視図である。
【図４】図３に続く本実施形態に係る緑化工法の一工程例を示す斜視図である。
【図５】図４に続く本実施形態に係る緑化工法の一工程例を示す斜視図である。
【図６】図５に続く本実施形態に係る緑化工法の一工程例を示す斜視図である。
【図７】図６に続く本実施形態に係る緑化工法の一工程例を示す斜視図である。
【図８】図１に示した緑化ブロックを用いた本実施形態に係る植え込み構造の斜視図である。
【図９】図１に示した緑化ブロックを用いた他の形態の植え込み構造の平面模式図である。
【図１０】図１に示した緑化ブロックを用いた植え込み構造を建物への応用例を示す部分断面図である。
【図１１】図１０に示した植え込み構造の全体図である。
【符号の説明】
【００８１】
１  緑化ブロック
２  底部枠
３  支柱枠
４  囲み枠
５  形成枠体
６  メッシュ層
７  防水層
８  植生層
【図１】
2010004746.tif 000003
【図２】
2010004746.tif 000004
【図３】
2010004746.tif 000005
【図４】
2010004746.tif 000006
【図５】
2010004746.tif 000007
【図６】
2010004746.tif 000008
【図７】
2010004746.tif 000009
【図８】
2010004746.tif 000010
【図９】
2010004746.tif 000011
【図１０】
2010004746.tif 000012
【図１１】
2010004746.tif 000013